(57)【特許請求の範囲】
【請求項１】
ユーザの設定情報及び／又は視聴履歴情報を第１の記憶手段及び第２の記憶手段に格納する情報格納手段と、ユーザによる前記情報の消去に関わる操作が行われたときには第１の記憶手段の情報を消去する情報消去手段と、第１の操作が行われた場合には第１の記憶手段からの情報を読み出して出力する一方、サービスモードを制御可能な第２の操作が行われた場合には第２の記憶手段からの情報を読み出して出力する情報読み出し手段と、を備えたことを特徴とする放送受信装置。
【請求項２】
請求項１に記載の放送受信装置において、情報格納手段は第１の記憶手段にはユーザの設定情報及び／又は視聴履歴情報の全てを記憶させ、第２の記憶手段にはユーザの設定情報及び／又は視聴履歴情報のうちの一部を記憶させるように構成されたことを特徴とする放送受信装置。
【請求項３】
ユーザの設定情報及び／又は視聴履歴情報を第１の記憶手段及び第２の記憶手段に格納する情報格納手段と、ユーザによる前記情報の消去に関わる操作が行われたときには第１の記憶手段に格納されている情報を読み出して第２の記憶手段にコピーした後、第１の記憶手段の情報を消去する情報コピー・消去制御手段と、第１の操作が行われた場合には第１の記憶手段からの情報を読み出して出力する一方、サービスモードを制御可能な第２の操作が行われた場合には第２の記憶手段からの情報を読み出して出力する情報読み出し手段と、を備えたことを特徴とする放送受信装置。
【請求項４】
請求項３に記載の放送受信装置において、情報コピー・消去制御手段は、第１の記憶手段に格納されている情報の一部を第２の記憶手段のコピーすることを特徴とする放送受信装置。
【発明の詳細な説明】
【０００１】
【産業上の利用分野】
この発明は、放送波や有線の放送信号を受信する放送受信装置に関する。
【０００２】
【従来の技術】
例えば、衛星を用いたディジタル放送受信システムにおいては、ディジタル信号圧縮技術を用いて映像・音声信号を圧縮するとともに、複数番組の映像・音声ディジタル信号を時分割多重したストリーム（トランスポートストリーム）をトランスポンダ（衛星中継器）を経由して放送を行っている。一方、このようなディジタル放送を受信する放送受信装置は、専用のアンテナを通して受け取ったディジタル放送の複数のトランスポンダのなかから一つをチューナによって選択し、この一つのトランスポンダに含まれる複数のチャンネルのうち一つをデマルチプレクス処理によって選択し、この選択したチャンネルのディジタル信号をデコードすることによって映像・音声信号を出力するようになっている。
【０００３】
ところで、このようなディジタルテレビ放送では、衛星からの放送波を正常に受信するために、利用者が各種の設定を行ったり、利用者固有の地域番号などを登録するためのユーザ設定機能がある。また、有料番組の購入履歴を蓄積し、必要に応じて一覧表示するといった視聴履歴表示機能も備えられている。また、これらの機能に付随して、操作ミス等で受信機が正常動作を行わなくなった際にユーザ設定を一旦元に戻したり、受信機の譲渡や廃棄がなされることを考慮して視聴履歴を消去或いは初期化する機能が備えられる。
【０００４】
【発明が解決しようとする課題】
しかしながら、利用者による初期化や消去によって情報が消失してしまうと、受信機が正常に動作を行わなくなった原因や視聴料金にかかわるトラブルの調査を行うことにおいて不都合が生じるおそれがある。
【０００５】
この発明は、上記の事情に鑑み、利用者が履歴情報の消去等を行っても、受信機が正常に動作を行わなくなった原因や視聴料金にかかわるトラブルの調査に不都合を生じさせない放送受信装置を提供することを目的とする。
【０００６】
【課題を解決するための手段】
この発明の放送受信装置は、上記の課題を解決するために、ユーザの設定情報及び／又は視聴履歴情報を第１の記憶手段及び第２の記憶手段に格納する情報格納手段と、ユーザによる前記情報の消去に関わる操作が行われたときには第１の記憶手段の情報を消去する情報消去手段と、第１の操作が行われた場合には第１の記憶手段からの情報を読み出して出力する一方、サービスモードを制御可能な第２の操作が行われた場合には第２の記憶手段からの情報を読み出して出力する情報読み出し手段と、を備えたことを特徴とする。
【０００７】
上記の構成であれば、ユーザーによる前記情報の消去に関わる操作が行われたときには第１の記憶手段に格納されている情報は消去され、ユーザ設定情報や視聴履歴情報がユーザーからの見かけ上は消去されたことになっても、第２の操作が行われた場合に提示すべき情報としては残されており、送受信装置の譲渡や廃棄の際に、ユーザーがこれらの情報を消去して他人に見られることを防ぐ機能と、トラブルの再の調査のためにサービス情報を残しておくという相反する機能を両立することができる。
【０００８】
情報格納手段は第１の記憶手段にはユーザーの設定情報及び／又は視聴履歴情報の全てを記憶させ、第２の記憶手段にはユーザーの設定情報及び／又は視聴履歴情報のうちの一部を記憶させるように構成されていてもよい。
【０００９】
また、この発明の放送受信装置は、ユーザの設定情報及び／又は視聴履歴情報を第１の記憶手段及び第２の記憶手段に格納する情報格納手段と、ユーザによる前記情報の消去に関わる操作が行われたときには第１の記憶手段に格納されている情報を読み出して第２の記憶手段にコピーした後、第１の記憶手段の情報を消去する情報コピー・消去制御手段と、第１の操作が行われた場合には第１の記憶手段からの情報を読み出して出力する一方、サービスモードを制御可能な第２の操作が行われた場合には第２の記憶手段からの情報を読み出して出力する情報読み出し手段と、を備えたことを特徴とする。
【００１０】
上記構成においても、ユーザーによる前記情報の消去に関わる操作が行われたときには第１の記憶手段に格納されている情報は消去され、ユーザ設定情報や視聴履歴情報がユーザーからの見かけ上は消去されたことになっても、これら情報は第２の記憶手段に転送され、第２の操作が行われた場合に提示すべき情報としては残されることになり、送受信装置の譲渡や廃棄の際に、ユーザーがこれらの情報を消去して他人に見られることを防ぐ機能と、トラブルの再の調査のためにサービス情報を残しておくという相反する機能を両立することができる。
【００１１】
情報記コピー・消去制御手段は、第１の記憶手段に格納されている情報の一部を第２の記憶手段にコピーするようになっていてもよい。
【００１２】
【発明の実施の形態】
以下、この発明の実施形態を図１に基づいて説明するが、ここではユーザがディジタル放送を視聴する場合を例示している。
【００１３】
図１に示すアンテナ１は屋外において所定の方向に向けて配置されており、ＢＳから送られてくるディジタル放送信号を受信する。このアンテナ１は、一般に周波数変換器を備え、受信／周波数変換した信号をチューナ２に与える。
【００１４】
チューナ２は、受信した高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１５】
デマルチプレクサ（ＤＥＭＵＸ）３は、チューナ２から受け取ったトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクサ３は、ビデオトランスポートパケットとオーディオトランスポートパケットをＡＶデコーダ４に供給し、ＰＳＩ／ＳＩをＣＰＵ１３に供給する。なお、前述のごとく、トランスポート・ストリームには複数のチャンネルが多重化されており、このなかから任意のチャンネルを選択するための処理は、前記ＰＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩの情報に基づいて行うことができる。
【００１６】
ＡＶデコーダ４は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１７】
映像処理回路５はＡＶデコーダ４から映像データを受け取り、Ｄ／Ａ変換を行い、例えばＮＴＳＣフォーマットのコンポジット信号に変換する。音声信号処理回路６はＡＶデコーダ４から出力された音声データを受け取り、Ｄ／Ａ変換を行い、右（Ｒ）音のアナログ信号および左（Ｌ）音のアナログ信号を生成する。映像出力回路７及び音声出力回路８は出力抵抗や増幅器等を備えて成る。ＡＶ出力端子９には出力部（左右音声出力端子および映像出力端子のセット）が設けられており、この出力部には、映像／音声コード１７によってＣＲＴやスピーカを備えるモニタ１６が接続される。
【００１８】
ＯＳＤ（オンスクリーンディスプレイ）表示回路１２は、ＣＰＵ１３から出力指示された文字情報や図形情報に基づくビットマップデータを加算器２０に出力する。加算器２０は前記ビットマップデータを映像に組み込む。上記ＯＳＤ表示回路１２により、ＣＰＵ１３が受け取った前述のＰＳＩに含まれるサービス情報に基づく電子番組ガイド（ＥＰＧ：（Ｅｌｅｃｔｒｏｎｉｃ  Ｐｒｏｇｒａｍ  Ｇｕｉｄｅ））の他、操作ガイド画面の表示、この操作ガイド画面上での操作によって表示されることとなるユーザーの設定情報の表示、視聴履歴情報、視聴しようとする番組が有料である旨のメッセージなどの表示が実現される。
【００１９】
ＩＣカード２１Ａは、有料番組を視聴可能にするための鍵情報や番組毎に課金対象となるＰＰＶ（ペイ・パー・ビュー）番組の購入履歴情報などを格納する。また、ＩＣカードコネクタ２１は、ＣＰＵ１３とＩＣカード２１Ａとの間で諸情報の書込処理や読出処理を行う。例えば、ＣＰＵ１３は、有料番組を視聴するかどうかを問う画面表示状態において、利用者によって購入操作が行われると、ＩＣカードコネクタ２１を通じてＩＣカード２１Ａに課金情報を送出すると共に購入番組を利用者に提示するための処理を行う。なお、購入されなかった場合は、番組の提示を取り止め、ＩＣカード２１Ａへは課金情報は送出しない。このようにして有料番組が購入された場合の課金情報はＩＣカード２１Ａに蓄積され、放送事業者はこの情報をもとに利用者に料金を請求する。
【００２０】
モデム２２は、定期的に課金情報の伝送を行うときのダイヤルアップ接続において動作する。
【００２１】
リモコン送信機１０は、当該放送受信装置３０に指令を送出するための送信機である。リモコン送信機１０には、電源キー、チャンネル指定キー、方向キー、決定キーなどが設けられている。このリモコン送信機１０に設けられたキーを操作すると、それらキーに対応した指令を意味する信号光（リモコン信号）が図示しない発光部から送出される。リモコン受光器１１は、前記信号光を受光し、これを電気信号に変換してＣＰＵ１３に与える。
【００２２】
第１メモリ（例えば、ＥＥＰＲＯＭ）１４Ａおよび第２メモリ（例えば、ＥＥＰＲＯＭ）１４Ｂには、ユーザー設定情報や視聴履歴情報が格納される。すなわち、第１メモリ１４Ａ及び第２メモリ１４ＢにはＣＰＵ１３の書き込み処理によってユーザー設定情報や視聴履歴情報が共に書き込まれる。そして、前記リモコン送信機１０等の操作によってユーザー設定情報や視聴履歴情報の表示指示がなされたときには、ＣＰＵ１３は第１メモリ１４Ａから情報を読み出し、ＯＳＤ表示回路１２にその映像表示を指示する。また、ユーザー操作によりリモコン送信機１０等によってユーザー設定情報や視聴履歴情報の消去指示がなされたとき、或いは初期化指示がなされたときには、ＣＰＵ１３は第１メモリ１４Ａに対してのみ消去処理を実行し、第２メモリ１４Ｂに対しては消去処理は行わない。
【００２３】
ＣＰＵ１３は、サービススイッチ２３が操作されたときには、サービスモードの処理を実行する。このサービスモードにおいては、特定者のみが入手できる専用のリモコン送信機からのリモコン信号でしか操作できないようになる。修理者が上記専用のリモコン送信機にてユーザ設定情報等の提示を指令すると、当該サービスモードでのＣＰＵ１３は、第２メモリ１４Ｂから情報を読み出し、ＯＳＤ表示回路１２にその映像表示を指示する。
【００２４】
これにより、放送受信装置３０の不具合発生に際してユーザーがその設定情報や視聴履歴情報の消去操作を行ったとしても、これら情報は第２メモリ１４Ｂには保存されており、修理者はサービススイッチ２３をＯＮにして所定の操作を行うことで、第２メモリ１４Ｂからユーザー設定情報や視聴履歴情報を知得できるので、不具合発生の原因が調べやすくなる。
【００２５】
なお、上記の例では、修理者はサービススイッチ２３をＯＮにして所定の操作を行うこととしたが、サービススイッチ２３がユーザーから隠蔽されたかたちで設けられていれば、専用のリモコン送信機を用いなくてもサービスモードを設定でき、且つ特定者以外が第２メモリ１４Ｂからユーザー設定情報や視聴履歴情報を知得するのを防止することができる。
【００２６】
また、上記の例では、第１メモリ１４Ａ及び第２メモリ１４Ｂには同一の情報を書き込むこととしたが、例えば、第１メモリ１４Ａに格納する視聴履歴情報においては、番組のタイトルをも記録する一方、第２メモリ１４Ｂに格納する視聴履歴情報においては、番組のタイトルは記録しないというように、トラブル等の調査に支障をきたさない範囲で第１メモリ１４Ａと第２メモリ１４Ｂに書き込む情報に違いを持たせてもよい。
【００２７】
また、上記の例では、消去等の操作がなされる前において、第１メモリ１４Ａ及び第２メモリ１４Ｂがユーザー設定情報や視聴履歴情報を保持することとしたが、第１メモリ１４Ａだけにユーザー設定情報や視聴履歴情報を保持し、消去等の操作がなされた時点で第１メモリ１４Ａからユーザー設定情報や視聴履歴情報を第２メモリ１４Ｂに転送し、その後に第１メモリ１４Ａの情報を消去するといった手順をとるようにしてもよい。この場合においても、前記リモコン送信機１０等の操作によってユーザー設定情報や視聴履歴情報の表示指示がなされたときには、ＣＰＵ１３は、第１メモリ１４Ａから情報を読み出し、ＯＳＤ表示回路１２にその映像表示を指示する。そして、サービスモードにおけるユーザー設定情報の表示指示では、第２メモリ１４Ｂから情報を読み出し、ＯＳＤ表示回路１２にその映像表示を指示する。なお、第１メモリ１４Ａから第２メモリ１４Ｂへのユーザー設定情報や視聴履歴情報の転送においては、トラブル等の調査に支障をきたさない範囲で第１メモリ１４Ａの一部だけを第２メモリ１４Ｂに転送する処理を行うようにしてもよい。
【００２８】
【発明の効果】
以上説明したように、この発明によれば、ユーザ設定情報や視聴履歴情報がユーザーからの見かけ上は消去されたことになっても、サービス情報としては残されているということが実現できるため、放送受信装置の譲渡や廃棄の際に、ユーザーがこれらの情報を消去して他人に見られることを防ぐ機能と、トラブルの再の調査のためにサービス情報を残しておくという相反する機能を両立できるという効果を奏する。
【図面の簡単な説明】
【図１】この発明の実施形態の放送受信装置を示すブロック図である。
【符号の説明】
１    アンテナ
２    チューナ
３    デマルチプレクサ（ＤＥＭＵＸ）
４    ＡＶデコーダ
１０  リモコン送信機
１３  ＣＰＵ
１４Ａ第１メモリ
１４Ｂ第２メモリ
２３  サービススイッチ
【図１】
0003650040.tif 000002